(57)【特許請求の範囲】
【請求項１】
扉付収納装置であって、
開口面を有し、且つ内部にコンセントが設置された収納体と、
前記収納体の前記開口面に取付けられた扉と、
前記収納体の内部と前記扉の背面との間に架け渡され、前記扉が前記開口面を覆う閉状態と前記開口面から所定距離離れた開状態との間を移動自在となるように、前記扉を支持する支持手段と、
前記扉が前記閉状態から所定量未満開いた第１の範囲にあっては、前記扉が前記閉状態へ移動するように前記支持手段を付勢し、前記扉が前記閉状態から所定量を超えて開いた第２の範囲にあっては、前記扉が前記開状態へ移動するように前記支持手段を付勢する付勢手段と、
前記扉の開閉位置を検知する検知手段と、
前記検知手段による、前記扉が前記所定量を超えて開いた特定状態にある旨の検知出力のみに応答して、前記コンセントに給電する制御手段とを備えた、扉付収納装置。
【請求項２】
前記扉の前記特定状態は、前記所定量だけ開いた状態と前記開状態との間の中間的に開いた状態から前記開状態までを含む、請求項１記載の扉付収納装置。
【請求項３】
前記支持手段は、一対の支持リンクから構成される平行支持リンクよりなり、
前記検知手段は、前記支持リンクの前記収納体の内部における移動位置を介して前記扉の位置を検出する、請求項１又は請求項２記載の扉付収納装置。
【請求項４】
前記検知手段は、
前記支持リンクの一方であって、前記収納体に取付けられる回転軸の周りの部分に取付けられたガイド片と、
前記収納体の内面に取付けられ、所定範囲にある時の前記ガイド片と係合するスイッチ手段とを含む、請求項３記載の扉付収納装置。
【請求項５】
前記ガイド片の前記スイッチ手段との係合部分は、前記回転軸を中心とした円弧状に形成される、請求項４記載の扉付収納装置。
【発明の詳細な説明】
【技術分野】
【０００１】
この発明は扉付収納装置に関し、特に、電子レンジや炊飯器等の電化製品を収納するための扉付収納装置に関するものである。
【背景技術】
【０００２】
電子レンジや炊飯器等の電化製品を収納するための扉付収納装置においては、扉が閉状態の場合に電化製品を使用すると、発熱や水蒸気の発生によって本体が温度上昇したり膨張する等の危険が伴う。そのため、扉が閉状態の場合には、内部に設置されたコンセントへの給電を停止するように構成したものが提案されている。
【０００３】
図１０は特許文献１で開示された扉付収納装置の概略断面図であり、図１１は図１０で示したＡ部分の拡大図であって、開閉扉が若干開いた状態を示すものである。
【０００４】
これらの図を参照して、扉付収納装置である家電収納キャビネット７０は、その内部に電源コンセント７６が設置され、前面（図の左側）が開放された箱形形状のキャビネット本体７２と、キャビネット本体７２の開口面に取付けられた開閉扉７４とを備えており、キャビネット本体７２の内部に設置された棚板７３上には、スチームレンジ７９が載置されている。更に、その両端部が開閉扉７４の背面とキャビネット本体７２の側壁の各々との間で回動自在に連結されたリンクアーム７７ａ、７７ｂを備えている。リンクアーム７７ａ、７７ｂによって、開閉扉７４は図１０の実線で示す閉状態から二点鎖線で示す開状態までの間を自在に移動することができる。
【０００５】
又、図１１に示すように、キャビネット本体７２の棚板７３の下面の前面側には、切換装置８１が設置されていると共に、開閉扉７４の背面の下方側には、閉状態において切換装置８１と係合する凸部７５が形成されている。切換装置８１は、前面側に配置された前後に摺動自在な押圧部８２と、レバー８５を有するリミットスイッチ８３と、リミットスイッチ８３に接続された配線８６ａ、８６ｂとを備えている。配線８６ａ、８６ｂの各々は、図１０で示す電源プラグ７８及び電源コンセント７６の各々に接続されている。
【０００６】
そして、開閉扉７４が閉状態の場合には、開閉扉７４の凸部７５によって切換装置８１の押圧部８２が押圧されて後方側（図の右側）に移動する。すると、リミットスイッチ８３のレバー８５が後方側に押圧され、図示しない切換ボタンが押下される。すると、配線８６ａと配線８６ｂとが非接触状態となる。従って、開閉扉７４が閉状態の場合には電源コンセント７６への給電が停止され、スチームレンジ７９が使用できなくなり安全性が確保される。
又、リンクアームによって扉が開閉される扉付収納装置においては、扉が閉状態から所定量未満開いた第１の範囲にあっては、扉を閉状態へと移動させるように付勢すると共に、扉が所定量を超えて開いた第２の範囲にあっては、扉を開状態へと移動させるように付勢する付勢手段（コイルばね）を有するものが提案されている（例えば、特許文献２）。
【先行技術文献】
【特許文献】
【０００７】
【特許文献１】特開２００９−２２５９４９号公報
【特許文献２】特開２００５−２６４７１９号公報
【発明の概要】
【発明が解決しようとする課題】
【０００８】
上記のような特許文献１で開示された扉付収納装置では、開状態において開閉扉の開閉状態を検知する押圧部が露出しているため、使用者が触れることによって不用意に電源コンセントへの給電が停止してしまう虞があった。
【０００９】
更に、開閉扉が開状態の場合にのみ電源コンセントへの給電が停止されるため、以下に説明するような問題が生じていた。
【００１０】
図１２は図１０で示した扉付収納装置の扉の開閉状態と給電状態との関係を示す模式図である。
【００１１】
図を参照して、一点鎖線で示す直線は、図１０で示したリンクアームのキャビネット本体側の軸と開閉扉の中心とを結ぶ直線を示すものであり、それぞれ閉状態、開閉扉が半分程度開いた開（中間）状態及び開閉扉が完全に開いた開（最大）状態の各々を示している。
【００１２】
そして、従来の扉付収納装置においては、開閉扉が閉状態の場合にのみＯＦＦ状態（電源コンセントへの給電停止状態）となり、開閉扉が若干開いた状態になると共にＯＮ状態（電源コンセントへの給電開始状態）となる。従って、開閉扉が若干開いている状態の場合であっても電化製品から発熱や水蒸気が発生してしまう虞がある。そして、このような状態では水蒸気を外部に放出させる開放部分が小さくなるため、閉状態での電化製品の使用と同様に危険を伴う。
【００１３】
又、例えば構成部材の変形等によって開閉扉が閉状態になり難くなった場合には、開閉扉の凸部と切替装置の押圧部とが係合しなくなるため、常時ＯＮ状態となってしまう虞があった。
【００１４】
更に、特許文献２で開示された扉付収納装置のコイルばねを特許文献１の装置に適用した場合における、扉が所定量だけ開いた状態（中立状態）を破線で示しており、矢印は扉に対する付勢力を示している。そうすると、付勢力が働かないために扉の開閉位置が停止した状態になる可能性の高い中立状態においては、ＯＮ状態となる。従って、開放面積の少ない状態で発熱や水蒸気が発生する虞があった。
【００１５】
この発明は、上記のような課題を解決するためになされたもので、扉が閉状態における不用意なコンセントへの給電が防止される扉付収納装置を提供することを目的とする。
【課題を解決するための手段】
【００１６】
上記の目的を達成するために、請求項１記載の発明は、扉付収納装置であって、開口面を有し、且つ内部にコンセントが設置された収納体と、収納体の開口面に取付けられた扉と、収納体の内部と扉の背面との間に架け渡され、扉が開口面を覆う閉状態と開口面から所定距離離れた開状態との間を移動自在となるように、扉を支持する支持手段と、扉が閉状態から所定量未満開いた第１の範囲にあっては、扉が閉状態へ移動するように支持手段を付勢し、扉が閉状態から所定量を超えて開いた第２の範囲にあっては、扉が開状態へ移動するように支持手段を付勢する付勢手段と、扉の開閉位置を検知する検知手段と、検知手段による、扉が所定量を超えて開いた特定状態にある旨の検知出力のみに応答して、コンセントに給電する制御手段とを備えたものである。
【００１７】
このように構成すると、扉が特定の開いた状態に位置して初めてコンセントに給電される。
【００１８】
請求項２記載の発明は、請求項１記載の発明の構成において、扉の特定状態は、所定量だけ開いた状態と開状態との間の中間的に開いた状態から開状態までを含むものである。
【００１９】
このように構成すると、扉が中間的に開いた状態になって初めて給電される。
【００２０】
請求項３記載の発明は、請求項１又は請求項２記載の発明の構成において、支持手段は、一対の支持リンクから構成される平行支持リンクよりなり、検知手段は、支持リンクの収納体の内部における移動位置を介して扉の位置を検出するものである。
【００２１】
このように構成すると、検知手段が収納体の内部に設置される。
【００２２】
請求項４記載の発明は、請求項３記載の発明の構成において、検知手段は、支持リンクの一方であって、収納体に取付けられる回転軸の周りの部分に取付けられたガイド片と、収納体の内面に取付けられ、所定範囲にある時のガイド片と係合するスイッチ手段とを含むものである。
【００２３】
このように構成すると、スイッチ手段とガイド片との係合の範囲は、扉の開状態の位置に対応する。
【００２４】
請求項５記載の発明は、請求項４記載の発明の構成において、ガイド片のスイッチ手段との係合部分は、回転軸を中心とした円弧状に形成されるものである。
【００２５】
このように構成すると、スイッチ手段に対するガイド片の当接力が一定となる。
【発明の効果】
【００２６】
以上説明したように、請求項１記載の発明は、扉が特定の開いた状態に位置して初めてコンセントに給電されるため、扉が閉状態における不用意な給電が防止され、安全性が向上する。
【００２７】
請求項２記載の発明は、請求項１記載の発明の効果に加えて、扉が中間的に開いた状態になって初めて給電されるため、より安全性が向上する。
【００２８】
請求項３記載の発明は、請求項１又は請求項２記載の発明の効果に加えて、検知手段が収納体の内部に設置されるため、扉が閉状態において検知手段に触れる虞が無く、誤動作が生じない。
【００２９】
請求項４記載の発明は、請求項３記載の発明の効果に加えて、スイッチ手段とガイド片との係合の範囲は、扉の開状態の位置に対応するため、扉の開度に応じた給電の制御が容易となる。
【００３０】
請求項５記載の発明は、請求項４記載の発明の効果に加えて、スイッチ手段に対するガイド片の当接力が一定となるため、スイッチ手段の動作の信頼性が向上する。
【図面の簡単な説明】
【００３１】
【図１】この発明の第１の実施の形態による扉付収納装置を示す概略斜視図である。
【図２】図１で示したＩＩ−ＩＩラインの拡大断面図である。
【図３】図２で示したＸ部分の拡大図である。
【図４】図１で示した扉付収納装置の扉が中間的に開いた状態を示す概略断面図である。
【図５】図４で示したＹ部分の拡大図である。
【図６】図５で示したＶＩ−ＶＩラインの断面図である。
【図７】図１で示した扉付収納装置の扉が開状態の場合を示す概略断面図である。
【図８】図７で示したＺ部分の拡大図である。
【図９】（１）は図１で示した扉付収納装置の扉の開閉状態と給電状態との関係を示す模式図であり、（２）は他の実施の形態によるものである。
【図１０】従来の扉付収納装置の概略断面図である。
【図１１】図１０で示したＡ部分の拡大図である。
【図１２】図１０で示した扉付収納装置の扉の開閉状態と給電状態との関係を示す模式図である。
【発明を実施するための形態】
【００３２】
図１はこの発明の第１の実施の形態による扉付収納装置を示す概略斜視図であり、図２は図１で示したＩＩ−ＩＩラインの拡大断面図であって、扉が閉状態の場合を示すものであり、図３は図２で示したＸ部分の拡大図である。
【００３３】
これらの図を参照して、扉付収納装置１は、前面が開放された箱形形状を有すると共にその内部にコンセント３１が設置された収納体１２と、収納体１２の開口面の全体を覆うように取付けられた扉１３とを備えている。尚、扉１３の下方端には、扉１３の開閉操作をしやすくするための把持部１４が設置されている。
【００３４】
更に、扉１３が開口面を覆う閉状態と開口面から所定距離離れた後述する開状態との間を移動自在となるように支持する支持手段である上支持リンク１７及び下支持リンク１８と、支持手段を付勢する付勢手段であるコイルばね２５とを備えている。上支持リンク１７及び下支持リンク１８は共に平行支持リンクを構成している。尚、扉１３の開閉位置を検知する後述する検知手段であるガイド片４０及びスイッチ５０等を除いては、扉付収納装置１は左右対称に構成されているため、以降では扉付収納装置１の左側部分（ガイド片４０等が設置されている側）を中心に説明する。
【００３５】
上支持リンク１７の上方端部は、軸２３を介して収納体１２の側板１５の内方面に固定された取付板１９に回動自在に取付けられ、下方端部は扉１３の背面に固定された扉取付板２０に軸２１を介して回動自在に取付けられている。又、下支持リンク１８の上方端部は軸２４を介して取付板１９に回動自在に取付けられ、下方端部は扉取付板２０に軸２２を介して回動自在に取付けられている。尚、上支持リンク１７には、収納体１２の内方側に突出する突出部２８が形成されているが、これは下支持リンク１８の上方端部及びスイッチ５０との干渉を避けるために形成されているものである。このようにして扉１３と収納体１２の側板１５とが接続されているため、把持部１４を持って扉１３を収納体１２の前面と平行な状態のまま、後述する開状態の位置との間を自在に移動させることができる。
【００３６】
更に、上支持リンク１７の突出部２８の側板１５側の面には、検知手段であるガイド片４０が取付けられている。そして、その近傍であって取付板１９上に固定されたスイッチ取付板２９には、ネジ等によってスイッチ５０が取付けられている。ガイド片４０及びスイッチ５０の詳細な構造等については後述する。又、スイッチ５０はコンセント３１への給電を制御する制御手段である制御装置３５に接続されており、制御装置３５の配線３６ａ、３６ｂの各々は図示しない電源プラグ及びコンセント３１の各々に接続されている。
【００３７】
一方、コイルばね２５は、引張り状態で用いられており、ほぼ垂直方向に延びるように配置され、その上方端部が軸２６ａを介して扉取付板２０に回動自在に取付けられ、その下方端部が軸２６ｂを介して下支持リンク１８における軸２２の外方部分に回動自在に取付けられている。尚、コイルばね２５の軸２６ａ及び軸２６ｂと下支持リンク１８の軸２２との位置関係は、扉３を閉じた閉状態（図２の実線で示す状態）において、軸２２がコイルばね２５の軸中心を含む直線上より側面視において扉１３側に位置するように設定されている。
【００３８】
ここで、上記のように構成された扉付収納装置１の扉１３の動作原理について簡単に説明する。
【００３９】
図２を参照して、まず、コイルばね２５の両端の軸２６ａ、２６ｂの各々に働く弾性力Ｆ１、Ｆ２は互いに打ち消しあっているため、コイルばね２５の弾性力自体によって扉１３が移動することは無い。
【００４０】
次に、軸２６ｂに働く弾性力Ｆ２と下支持リンク１８との関係についてみると、下支持リンク１８の下方端部の軸２２はコイルばね２５の軸中心を含む直線より前方側（図の左側）に位置している。そのため、弾性力Ｆ２は下支持リンク１８に対して、軸２２を中心とする図における反時計回りに回転させるモーメントＭ２を付与することになる。従って、下支持リンク１８には軸２４を中心として反時計回りの力が加わることになり、結果として、扉１３は下支持リンク１８を介して閉じる方向へと付勢される。
【００４１】
一方、軸２６ａに働く弾性力Ｆ１についてみると、上支持リンク１７の下方端部を扉取付板２０に取付けるための軸２１は、コイルばね２５の軸中心を含む直線に対して前方側に位置している。そのため、弾性力Ｆ１は扉取付板２０に、軸２１を中心とする図における時計回りの回転モーメントＭ１を付与することになる。しかしながら、扉取付板２０は、上支持リンク１７と共に下支持リンク１８にも軸２２を介して取付けられているので、軸２１を中心とする回転は規制される。このため、軸２６ａを介して扉取付板２０に働く回転モーメントＭ１は打ち消される。尚、この点は平行支持リンクの特性と軸２６ａの取付け位置とによるため、扉１３の位置にかかわらず同じ状態となる。
【００４２】
以上より、コイルばね２５の弾性力は、軸２６ｂを介してのみ扉１３を付勢するように作用する。従って、扉１３の付勢の状態は、扉１３の位置に応じた下支持リンク１８の軸２２とコイルばね２５の軸中心との位置関係によって規定されることになる。
【００４３】
次に、扉付収納装置１の扉１３の動作概要について説明する。
【００４４】
図２を参照して、扉１３を引出すようにして、一点鎖線で示した位置まで移動させ、扉１３が開口面に対して所定量開いた状態にすると、上支持リンク１７、下支持リンク１８及びコイルばね２５は一点鎖線で示した位置となる。このとき、コイルばね２５の軸中心と下支持リンク１８の下方端部の軸２２とが直線上に整列する。従って、コイルばね２５によっては、下支持リンク１８は軸２２を中心とするいずれの回転方向にも付勢されない状態となる。
【００４５】
そして、この状態から更に扉１３を上方に持ち上げるように移動させると、図４で示す中間的に開いた状態となる。
【００４６】
図４は図１で示した扉付収納装置の扉が中間的に開いた状態を示す概略断面図であって、図２に対応するものであり、図５は図４で示したＹ部分の拡大図であり、図６は図５で示したＶＩ−ＶＩラインの断面図である。
【００４７】
これらの図を参照して、図２の二点鎖線で示した状態から更に扉１３を上方に持ち上げると、扉１３は開口面から最も離れた中間的に開いた状態となる。
【００４８】
このとき、下支持リンク１８の扉取付板２０側の軸２２は、コイルばね２５の軸中心を含む直線に対して扉１３の背面とは反対側に位置している。そのため、コイルばね２５の付勢力によって、図４で示すように下支持リンク１８には軸２２を中心とする時計回りのモーメントが付与される。従って、コイルばね２５による付勢力は下支持リンク１８を軸２４を中心に時計回りに付勢するように働く、即ち、扉１３は後述する開状態へと移動する方向に付勢される。
【００４９】
そして、この状態から更に扉１３を持ち上げるように移動させると、図７で示す開状態となる。
【００５０】
図７は図１で示した扉付収納装置の扉が開状態の場合を示す概略断面図であって、図４に対応するものであり、図８は図７で示したＺ部分の拡大図である。
【００５１】
これらの図を参照して、図４で示した中間的に開いた状態から更に扉１３を上方に持ち上げると、扉１３が開状態となり、収納体１２の前面が完全に開放される。尚、扉１３は図示しないストッパーによって必要以上の移動（開状態を超えた上方への移動）が阻止されている。
【００５２】
このとき、下支持リンク１８の扉取付板２０側の軸２２は、図４で示した中間的に開いた状態と同様、コイルばね２５の軸中心を含む直線に対して扉１３の背面とは反対側に位置している。従って、コイルばね２５による付勢力は下支持リンク１８を軸２４を中心に時計回りに付勢するように働くため、扉１３の開状態が安定する。
【００５３】
このように、扉１３が閉状態（図２の実線で示した状態）から所定量（図２の破線で示した状態）未満開いた第１の範囲にある時には、扉１３はコイルばね２５によって下支持リンク１８を介して閉状態へと移動するように付勢される。従って、扉１３が収納体１２の開口面に対して常にぴったりと閉じた状態が安定する。一方、扉１３が所定量を超えて開状態までの第２の範囲にある時（図４及び図７で示した状態）には、扉１３はコイルばね２５によって下支持リンク１８を介して開状態へと移動するように付勢される。従って、扉１３を上方へと開く動作に要する力が軽減されると共に開状態が保持される。
【００５４】
次に、扉１３の開閉位置を検知するガイド片４０及びスイッチ５０について説明する。
【００５５】
再度図５及び図６を参照して、ガイド片４０は、略Ｌ字板状の本体部４１と、本体部４１の側板１５側の端縁に接続され、スイッチ５０側に延びる軸２３を中心とした円弧状の係合部４２とから構成されている。
【００５６】
本体部４１は、収納体１２の側壁１５に設置された軸２３の周りであって上支持リンク１７の突出部２８の側板１５側の面に、一対のネジ４７によって固定されている。従って、ガイド片４０は上支持リンク１７の回転動作に伴って軸２３を中心に回転する。そして、このガイド片４０の回転動作に伴う、図示しない下支持リンク及びスイッチ５０等との干渉を防止するために、本体部４１には切欠き４６が形成されている。
【００５７】
スイッチ５０は、本体５１と、本体５１に接続されると共に、その先端にローラー５３が回動自在に接続されたレバー５２と、本体５１のレバー５２の下方部に設置された切換ボタン５４と、図示しない制御装置に接続された配線５５ａ、５５ｂとから構成されている。そして、切換ボタン５４が押下されると、図示しない制御装置によってコンセントへ給電されるように構成されている。
【００５８】
係合部４２は、上述のように軸２３を中心とした円弧状に形成されていると共に、扉が後述する特定状態である時には、その端縁がスイッチ５０のレバー５２のローラー５３に当接して係合するように形成されている。
【００５９】
このように、ガイド片４０及びスイッチ５０は、上支持リンク１７の収納体１２内部における移動位置を介して扉の位置を検出するように、収納体１２の内部に設置される。そのため、扉が閉状態の場合には、使用者がこれらに触れる虞が無く、誤動作が生じることが無い。
【００６０】
又、上述した部材等で構成される扉付収納装置は、例えば扉の開閉位置をセンサーで感知するようなものに比べて簡易な構造となるため、コスト的に有利な扉付収納装置となる。
【００６１】
次に、扉の開閉状態とコンセントへの給電状態との関係を、ガイド片４０の回転動作によるスイッチ５０との係合状態の変化と併せて説明する。
【００６２】
図９は図１で示した扉付収納装置の扉の開閉状態と給電状態との関係を示す模式図でああって、（１）は上記の第１の実施の形態による第１の特定状態（ＯＮ状態）の範囲を示すものであり、（２）は他の実施の形態による第２の特定状態の範囲を示すものである。尚、他の実施の形態による装置は、特定状態の設定に関わる部分を除いては、第１の実施の形態による装置と基本的に同一構造である。
【００６３】
まず（１）を参照して、一点鎖線で示す直線は、図２等で示した上支持リンク１７の軸２３と扉１３の中心とを結ぶ直線を示すものであり、それぞれ閉状態、扉が中間的に開いた開（中間）状態及び扉が完全に開いた開（最大）状態の各々を示している。更に、破線で示す直線は、図２の一点鎖線で示した、扉が所定量開いた状態を示すものであり、矢印は扉に対する付勢力を示している。
【００６４】
ここで（１）及び図３を併せて参照して、扉１３が閉状態の場合には、ガイド片４０の係合部４２がスイッチ５０と当接せず、離れた状態となっている。従って、スイッチ５０の切換ボタン５４が押下されていないため、コンセントへの給電が停止したＯＦＦ状態となる。
【００６５】
次に（１）、図５及び図６を併せて参照して、扉が中間的に開いた状態の時、上支持リンク１７の回転動作に伴ってガイド片４０が軸２３を中心に回転することによって、ガイド片４０の係合部４２がスイッチ５０のローラー５３に当接した状態になる。しかしながら、この状態においてはスイッチ５０の切換ボタン５４は押下されていないため、ＯＦＦ状態となる。
【００６６】
次に（１）及び図８を併せて参照して、扉が図５を超えた開状態の時、ガイド片４０の係合部４２がローラー５３に当接して係合することによってレバー５２が下がり、切換ボタン５４が押下される。このようにして、扉が特定状態にある事を検知する。そして、切換ボタン５４が押下されると、図示しない制御装置によってコンセントに給電され、ＯＮ状態となる。このとき、上述した通り、ガイド片４０の係合部４２は、軸２３を中心とした円弧状に形成されているため、ローラー５３に対する係合部４２の当接力が一定となる。従って、スイッチ５０の動作の信頼性が向上する。
【００６７】
このように、この実施の形態による扉付収納装置においては、扉が破線で示す所定量だけ開いた状態と開状態との間の、中間的に開いた状態から開状態までの範囲において、扉が特定状態になるので、ＯＮ状態となる。一方、中間的に開いた状態から閉状態までの間は、扉が特定状態にならないので、ＯＦＦ状態となる。このように、扉が特定の開いた状態（特定状態）に位置して初めてコンセントに給電され、ＯＮ状態となる。そのため、扉が閉状態における不用意な給電が確実に防止され、安全性が向上する。
【００６８】
更に、従来例の図１２で示した模式図と比較すると、破線で示す扉が所定量だけ開いた状態（中立状態）においては、従来例ではＯＮ状態となるため安全性が低いと言えるが、この実施の形態においてはＯＦＦ状態である。そして、この実施の形態においては、扉が所定量だけ開いた状態を超えた中間的に開いた状態になって初めて給電される。即ち、閉状態へと移動させる付勢力が働く範囲や破線で示す中立状態にあってはＯＦＦ状態であるため、より安全性が向上する。
【００６９】
尚、この実施の形態においては上述したように扉の特定状態の範囲が設定されているが、他の実施の形態として、扉の特定状態の範囲をこれと異なる範囲に設定した場合について説明する。
【００７０】
（２）を参照して、この模式図においては、扉が所定量だけ開いた状態を超えた直後から開状態までの範囲において、扉が特定状態（ＯＮ状態）となるように設定されている。即ち、扉が開状態となるような付勢力が働く状態では常にＯＮ状態となり、閉状態となるような付勢力が働く状態ではＯＦＦ状態となる。従って、扉の開閉特性に対応した制御となる。
【００７１】
尚、このような扉の特定状態の範囲を設定するためには、ガイド片の係合部の形状を変更し、スイッチの切換ボタンの押下を開始する位置を変更すれば良いため、簡易に扉の特定状態の範囲を変更することができる。即ち、扉の開度に応じたコンセントへの給電の制御が容易となる。
【００７２】
尚、上記の各実施の形態では、扉付収納装置の具体的な使用方法については触れていないが、例えば、レンジ収納装置として、コンセントの給電を制御することによって、閉状態での加熱調理を防止するものが当然考えられる。又は、例えば、扉が特定状態の場合にのみ収納体内の照明が点灯する照明付収納装置、扉が特定状態の場合にのみ殺菌灯が消灯する殺菌灯付収納装置、扉が特定状態の場合にのみ開ランプが点灯する開閉状態表示機能を有する収納装置、又は扉が特定状態の場合にのみ送風ファンが作動して収納体内の換気や熱排出をおこなう換気機能付収納装置等に対しても同様に適用できる。
【００７３】
又、上記の各実施の形態では、扉の開閉動作が特定されているが、支持手段によって閉状態から開状態までの間を自在に移動できるものであれば、例えば下方に引下げるように開閉する扉やスライド式に開閉する扉等であっても良い。
【００７４】
更に、上記の各実施の形態では、閉状態の扉は収納体の開口面を覆うものであるが、扉が収納体の開口面を覆う状態とは、扉が収納体の開口面を完全に塞ぐような状態のみならず、開口面に対して若干の隙間や開放部分等がある状態も含むものである。
【００７５】
更に、上記の各実施の形態では、支持手段は上支持リンクと下支持リンクとで構成されているが、収納体の内部と扉の背面との間に架け渡され、扉が閉状態と開状態との間を移動自在となるように支持するものであれば、他の部材で構成されていても良い。
【００７６】
更に、上記の各実施の形態では、付勢手段としてコイルばねが使用されているが、例えばガススプリング等を使用しても良い。
【００７７】
更に、上記の各実施の形態では、特定の制御装置を備えているが、検知手段によって扉が特定状態にある旨の検知出力のみに応答して、コンセントに給電できるものであれば、他の制御装置であっても良い。
【００７８】
更に、上記の各実施の形態では、コンセントに給電する扉の特定状態の範囲が具体的に設定されているが、特定状態の開始位置は、扉が所定量を超えた状態から開状態までの範囲内において設定されていれば良い。
【００７９】
更に、上記の各実施の形態では、検知手段はガイド片及びスイッチによって構成されているが、上支持リンク又は下支持リンクの収納体の内部における移動位置を介して扉の位置を検出するものであれば、他の部材等で構成されていても良い。更には、検知手段は扉の開閉位置を直接的に検知するものであれば良い。
【００８０】
更に、上記の各実施の形態では、ガイド片は上支持リンクの特定箇所に取付けられているが、収納体に対して取付けられる軸（回転軸）の周りの部分に取付けられるのであれば、他の箇所に取付けられていても良い。又は、下支持リンクに取付けられていても良い。
【００８１】
更に、上記の各実施の形態では、ガイド片は円弧状の係合部によってスイッチと係合しているが、扉が特定状態になる範囲に対応する所定範囲にある時にスイッチと係合するように形成されていれば、係合部は他の形状であっても良い。
【符号の説明】
【００８２】
１…扉付収納装置
１２…収納体
１３…扉
１７…上支持リンク
１８…下支持リンク
２３、２４…軸
２５…コイルばね
３１…コンセント
３５…制御装置
４０…ガイド片
４２…係合部
５０…スイッチ
尚、各図中同一符号は同一又は相当部分を示す。
【図１】
0005661522.tif 000002
【図２】
0005661522.tif 000003
【図３】
0005661522.tif 000004
【図４】
0005661522.tif 000005
【図５】
0005661522.tif 000006
【図６】
0005661522.tif 000007
【図７】
0005661522.tif 000008
【図８】
0005661522.tif 000009
【図９】
0005661522.tif 000010
【図１０】
0005661522.tif 000011
【図１１】
0005661522.tif 000012
【図１２】
0005661522.tif 000013